【手続補正書】
【提出日】平成20年8月4日(2008.8.4)
【手続補正１】
【補正対象書類名】明細書
【補正対象項目名】特許請求の範囲
【補正方法】変更
【補正の内容】
【特許請求の範囲】
【請求項１】  ケース本体には、その内部に、互いに独立回動する内・外摺動子とその後部に配されるラッチ体が設けられ、外部に、所定の等角度に符号が附された操作摘みを前記内・外摺動子にその前部で連繋せしめて装着すると共に、前記符号の任意の組合せを解錠符号として選択する操作摘みの回転操作によって、内・外摺動子に設けた切欠き部を前記ラッチ体の配設位置で一致させ、該摺動子により出没規制された施錠状態のラッチ体を前記切欠き部内に出没許容して解錠するよう構成されたダイヤル錠であって、前記切欠き部同士を前記解錠符号の組合せにより一致させるに、前記内・外側摺動子のそれぞれに、内・外何れかの摺動子が一回転することで互いに係合する係合片を前記切欠き部を基準として設ける一方、前記内・外何れか一方の摺動子の上面部を前記操作摘みと対面すべく前記ケース本体より臨ませて、該上面部と操作摘みとを、一対の嵌合手段を介して一体回動するよう嵌装すると共に、該嵌合手段は、前記操作摘み側の嵌合操作によって前記解錠符号の組合せパターンを異ならしめるべく、前記符号に対応する角度位置で選択的な可変嵌合を可能に構成されていることを特徴とするダイヤル錠装置。
【請求項２】  請求項１において、前記内・外何れか一方の摺動子を、該摺動子の係合片を解錠符号の組合せパターンごとに異なる角度位置に設定せしめて複数用意し、これら摺動子の選択と前記嵌合手段の嵌合角度選択とによって、解錠符号の組合せパターンを複合させて増加する構成としたことを特徴とするダイヤル錠装置。
【請求項３】  請求項１または２において、前記操作摘みは、前記符号が附されケース本体に回転可能に嵌挿される摘み部と、該摘み部に被装係止されるトップカバー部とをそれぞれ分割して構成し、該トップカバー部に前記嵌合手段が設けられていることを特徴とするダイヤル錠装置。
【請求項４】  請求項１乃至３の何れかにおいて、前記摘み部の符号部分を覆い、一部に解除符号の選択窓部が形成された符号カバーを、前記トップカバー部より嵌挿してケース本体に着脱可能に装着したことを特徴とするダイヤル錠装置。
【請求項５】  請求項１乃至３の何れかにおいて、前記ケース本体には、郵便受け箱等の蓋体への取付け用の鍔部が形成されており、解除符号の選択合わせ部が形成されたマークシートを、前記鍔部背面に着脱自在に装着したことを特徴とするダイヤル錠装置。
【請求項６】  ケース本体には、その内部に、互いに独立回動する内・外摺動子とその後部に配されるラッチ体が設けられ、外部に、所定の等角度に符号が附された操作摘みを前記内・外摺動子にその前部で連繋せしめて装着されると共に、前記符号の任意の組合せを解錠符号として選択する操作摘みの回転操作によって、内・外摺動子に設けた切欠き部を前記ラッチ体の配設位置で一致させ、該摺動子により出没規制された施錠状態のラッチ体を前記切欠き部内に出没許容して解錠するよう構成されたダイヤル錠であって、前記ラッチ体を、ラッチケース内に常時突出方向に弾装し、前記内・外摺動子の切欠き部に没入して弾性復帰する際に、ラッチケースに設けた緩衝体で衝止するよう装着する一方、前記緩衝体を、ラッチケースに一体的に延出形成した舌片で構成したことを特徴とするダイヤル錠装置。
【請求項７】  請求項６において、前記舌片は、略Ｌ字状に形成されていることを特徴とするダイヤル錠装置。
【請求項８】  請求項１乃至５の何れかにおいて、前記ラッチ体は、請求項６乃至７に記載の舌片が一体形成されたラッチケースに弾装されていることを特徴とするダイヤル錠装置。
【請求項９】  請求項１乃至８の何れかにおいて、前記ケース本体は、円筒状部材を縦断分割して形成される一対のケース半体を組みとして構成されていることを特徴とするダイヤル錠装置。
【請求項１０】  請求項１乃至９の何れかにおいて、前記ケース本体の内壁面に、前記符号位置に対応した間隔を存して溝部を刻設する一方、前記摺動子の外周面部に、ケース本体の内壁面に弾性摺接する摺接部材を設け、前記操作摘みの回転操作によって前記摺接部材を前記溝部に係脱させて、操作摘みの符号送りを、各ステップ角度位置でホールドしスナップ性を付与すべく構成したことを特徴とするダイヤル錠装置。
【請求項１１】  請求項１乃至１０の何れかにおいて、前記内側摺動子の先端部には、ケース本体の内壁面と対面する筒状頭部が一体形成されていることを特徴とするダイヤル錠装置。
【請求項１２】  請求項１０乃至１１の何れかにおいて、前記摺接部材は、前記筒状頭部と前記外側摺動子のそれぞれの外周部に設けられていることを特徴とするダイヤル錠装置。
【請求項１３】  請求項１１または１２において、前記筒状頭部の外周面に環状凹部を周設する一方、前記ケース本体の内壁面に前記環状凹部に嵌入する環状凸部を周設せしめ、内側摺動子をケース本体に位置決め装着することを特徴とするダイヤル錠装置。
【請求項１４】  請求項１１乃至１３の何れかにおいて、前記内側摺動子は、前記筒状頭部を介して前記操作摘みに取着されていることを特徴とするダイヤル錠装置。
【請求項１５】  請求項１乃至５の何れかにおいて、前記摺動子側の嵌合手段は、前記筒状頭部に設けられていることを特徴とするダイヤル錠装置。
【手続補正２】
【補正対象書類名】明細書
【補正対象項目名】０００２
【補正方法】変更
【補正の内容】
【０００２】
【従来の技術】
一般に、マンション、オフィスビル、公共などの集合郵便受けユニット等に設けられる郵便受け箱には、ダイヤル錠装置が設けられ、ダイヤル錠の解除番号（暗証番号）は、０から９までの数値のうち２桁の数値の組合せパターンを異ならしめて行う必要があることから、互いに独立回動する内・外２重に配した摺動子の切欠き部を前記ラッチ体の出没位置で一致させて解錠する方法が採用されている。
【手続補正３】
【補正対象書類名】明細書
【補正対象項目名】０００４
【補正方法】変更
【補正の内容】
【０００４】
また、操作摘み（６）の数値符号０〜７のステップ送りに際しては、各ステップ角度位置でホールドしスナップ性を付与するため、本体ケース（１２）に、まず、外側摺動子（２）を嵌挿し、次いで、板バネ（１７、１７）を前記８角形の断部（２ａ）を挟み込んで取り付けた後、板バネ（１７、１７）間に、前記回転板（８）の８角面部（８ａ）を嵌入することで行われていた。
また、ラッチ体（５）が前記内・外摺動子の切欠き部（３，４）に没入して弾性復帰する際に、ラッチケース（１３）に衝突する衝撃音を軽減するため、ラッチケース（１３）穿設した収納孔（２４）にコイルバネ（２５）を埋め込み、これにゴム性緩衝体（２２）を取り付けて衝止するように構成されていた。
【手続補正４】
【補正対象書類名】明細書
【補正対象項目名】０００６
【補正方法】変更
【補正の内容】
【０００６】
【発明が解決しようとする課題】
本発明は、上記の如き問題点を一掃すべく創案されたものであって、ダイヤル錠装置を構成する内・外摺動子や操作摘み、ラッチケースなどの構成要素のトータル的な改良により、装置全体の構造の簡略化や個々の部品点数の削減を図ることができ、組立工程と部品管理が簡素化されて、組み立て作業効率の向上と、コスト低減が図れると共に、組み立てミスを回避し正規解除番号と相違する製品ができてしまう危険性を排除することのできるダイヤル錠装置を提供することを課題としている。
【手続補正５】
【補正対象書類名】明細書
【補正対象項目名】０００７
【補正方法】変更
【補正の内容】
【０００７】
【課題を解決するための手段】
上記課題を解決するために本発明が採用した技術手段は、ケース本体には、その内部に、互いに独立回動する内・外摺動子とその後部に配されるラッチ体が設けられ、外部に、所定の等角度に符号が附された操作摘みを前記内・外摺動子にその前部で連繋せしめて装着すると共に、前記符号の任意の組合せを解錠符号として選択する操作摘みの回転操作によって、内・外摺動子に設けた切欠き部を前記ラッチ体の配設位置で一致させ、該摺動子により出没規制された施錠状態のラッチ体を前記切欠き部内に出没許容して解錠するよう構成されたダイヤル錠であって、前記切欠き部同士を前記解錠符号の組合せにより一致させるに、前記内・外側摺動子のそれぞれに、内・外何れかの摺動子が一回転することで互いに係合する係合片を前記切欠き部を基準として設ける一方、前記内・外何れか一方の摺動子の上面部を前記操作摘みと対面すべく前記ケース本体より臨ませて、該上面部と操作摘みとを、一対の嵌合手段を介して一体回動するよう嵌装すると共に、該嵌合手段は、前記操作摘み側の嵌合操作によって前記解錠符号の組合せパターンを異ならしめるべく、前記符号に対応する角度位置で選択的な可変嵌合を可能に構成されていることを特徴とするものである。
また、上記課題を解決するために本発明が採用した技術手段は、ケース本体には、その内部に、互いに独立回動する内・外摺動子とその後部に配されるラッチ体が設けられ、外部に、所定の等角度に符号が附された操作摘みを前記内・外摺動子にその前部で連繋せしめて装着されると共に、前記符号の任意の組合せを解錠符号として選択する操作摘みの回転操作によって、内・外摺動子に設けた切欠き部を前記ラッチ体の配設位置で一致させ、該摺動子により出没規制された施錠状態のラッチ体を前記切欠き部内に出没許容して解錠するよう構成されたダイヤル錠であって、前記ラッチ体を、ラッチケース内に常時突出方向に弾装し、前記内・外摺動子の切欠き部に没入して弾性復帰する際に、ラッチケースに設けた緩衝体で衝止するよう装着する一方、前記緩衝体を、ラッチケースに一体的に延出形成した舌片で構成したことを特徴とするものである。
【手続補正６】
【補正対象書類名】明細書
【補正対象項目名】００１７
【補正方法】変更
【補正の内容】
【００１７】
次に、ダイヤル錠装置１の組立手順を図９に基づいて説明する。まず、ケース半体２０１に内・外摺動子５、６をセットする。その際、内・外摺動子５、６の切欠き部５０１、６０１と、ケース半体２０１のラッチ体４０１の後端側が出没する切欠き部２０３を一致させてから、もう一方のケース半体２０１をセットし、トップカバー部３０２をセットした摘み部３０１をケース本体２に嵌挿させることで、仮組付け状態を保持することができる。
この仮組付け状態で、操作摘み３を回転させて切欠き部５０１と６０１の角度位置を異相させ、解除符号の選択窓部３１１位置の数値を、操作摘み３を少し引き抜いて、前記雄歯状部３０３と雌歯状部５０５との挿入・出を行って設定調整し、解除符号の前記第１のバリエーションを決定する。
次いで、ビス９を、内側摺動子５の頭部５０３に穿設したビス孔５０７を介してトップカバー部３０２の雄歯状部３０３に穿設したビス孔３０７へ螺入することで連結した後、ケース本体２の後部側からラッチケース４を挿入しビス９により固着し、前部側から符号カバー３１を挿入して嵌着すれば組立が完了する。
【手続補正７】
【補正対象書類名】明細書
【補正対象項目名】００１９
【補正方法】変更
【補正の内容】
【００１９】
また、前記内側摺動子５を、その係合片を解錠符号の組合せパターンごとに異なる角度位置に設定せしめて複数用意し、これら摺動子５、５，……の選択と前記嵌合手段である雄歯状部３０３と雌歯状部５０５の嵌合角度選択とによって、解錠符号の組合せパターンを複合させて増加する構成としてあるので、任意の解錠符号に対応した内側摺動子５を選択してセットするだけなので、従来のように内・外摺動子５、６の組合せセッティングの煩雑性が払拭されて、組付け作業の簡略化が図れ持具などを要しなくても行えるようになり、組み立てミスを防止し誤った解錠符号の製品ができてしまうことを回避できるばかりか、内側摺動子５の在庫管理を要するものの装置１自体を構成する部品点数が削減され、機構をコンパクトなものとすることができ、作業工数の削減と作業時間の短縮が図られ全体を安価なものとして提供することができる。
【手続補正８】
【補正対象書類名】明細書
【補正対象項目名】００２４
【補正方法】変更
【補正の内容】
【００２４】
また、筒状頭部５０３が設けられていることにより、この頭部５０３に種々の機能、すなわち、雌歯状部５０５、摺接部材７、環状凹部５０４、ビス孔５０７などを集中して設けることができ、上記の利点に加えて、内側摺動子５をケース本体２内に位置決め装着や操作摘みとの連結構成を付与することができる。